(57)【要約】      （修正有）【課題】オンラインを利用して、ユーザ登録を行うことでユーザの属性情報を収集し、しかもソフトウェアの不正コピーや不正使用を確実に防止する。【解決手段】ユーザ１１によるアプリケーションプログラムの使用経過と関連して予め設定された所定条件が成立したとき、アプリケーションプログラム１０の実行を禁止又は制限を行う。ユーザ１１は、プリケーションプログラム１０の販売別ＩＤとユーザ端末の販売別ＩＤとに基づいて符号化生成されるユーザコードと所定の属性情報とを管理側Ｗｅｂサーバ１２に登録する３。登録後、管理側Ｗｅｂサーバ１２で発行５された実行禁止解除又は実行制限解除のための解除キーをユーザ端末１１に登録し、アプリケーションプログラムの実行禁止又は実行制限を解除する６。【選択図】図１
2006252315.tif 000002
【特許請求の範囲】
【請求項１】
アプリケーションプログラムがインストールされるべきユーザ端末と、アプリケーションプログラムのユーザを管理するための管理側Ｗｅｂサーバとからなり、
ユーザ端末には、
リムーバブルメディアから読み込まれたアプリケーションプログラムをインストールするための手段と、
ユーザによるアプリケーションプログラムの使用経過と関連して予め設定されたプログラム実行禁止又はプログラム実行制限のための所定条件が成立したことを判定する手段と、
所定条件が成立したことが判定されたとき、当該アプリケーションプログラムの実行を禁止又は制限する手段と、
所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示する手段と、
所定操作でユーザにより入力された解除キーを登録するための手段と、
解除キーが登録されるのに応答して、当該アプリケーションプログラムの実行禁止又は実行制限を解除する手段と、が具備されており、
管理側Ｗｅｂサーバには、
複数のユーザコード登録欄を有すると共に、それらのユーザコード登録欄のそれぞれ毎に、ユーザに関する様々な属性情報登録欄を設けてなるデータベースと、
ユーザ端末からのユーザコードを伴った解除キー取得要求を受け付ける手段と、
受け付けたユーザコードとデータベースの内容とを照合することにより、その解除キー取得要求が初回更新時の解除キー取得要求か、再度更新時の解除キー取得要求か、又は不正使用者による解除キー取得要求かを判定する手段と、
初回更新時又は再度更新時の解除キー取得要求と判定されたとき、ユーザに関する所定の属性情報がユーザから提示されたことを条件として、そのユーザのユーザコード及び属性情報をデータベース上に登録又は登録更新すると共に、そのユーザコードに対応する解除キーを発行してユーザ端末へと送信する手段と、
不正使用者による解除キー取得要求と判定されたとき、ユーザコードに対応する解除キーを発行することなく、ユーザ端末へと所定の警告メッセージを送信する手段と、が具備されている、コンピュータプログラムのユーザ管理システムにおいて、
コンピュータを、
リムーバブルメディアから読み込まれたアプリケーションプログラムをインストールするための手段と、
ユーザによるアプリケーションプログラムの使用経過と関連して予め設定されたプログラム実行禁止又はプログラム実行制限のための所定条件が成立したことを判定する手段と、
所定条件が成立したことが判定されたとき、当該アプリケーションプログラムの実行を禁止又は制限する手段と、
所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示する手段と、
所定操作でユーザにより入力された解除キーを登録するための手段と、
解除キーが登録されるのに応答して、当該アプリケーションプログラムの実行禁止又は実行制限を解除する手段と、
を有するユーザ端末として機能させるためのコンピュータプログラム。
【請求項２】
アプリケーションプログラムがインストールされるべきユーザ端末と、アプリケーションプログラムのユーザを管理するための管理側Ｗｅｂサーバとからなり、
ユーザ端末には、
リムーバブルメディアから読み込まれたアプリケーションプログラムをインストールするための手段と、
ユーザによるアプリケーションプログラムの使用経過と関連して予め設定されたプログラム実行禁止又はプログラム実行制限のための所定条件が成立したことを判定する手段と、
所定条件が成立したことが判定されたとき、当該アプリケーションプログラムの実行を禁止又は制限する手段と、
所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示する手段と、
所定操作でユーザにより入力された解除キーを登録するための手段と、
解除キーが登録されるのに応答して、当該アプリケーションプログラムの実行禁止又は実行制限を解除する手段と、が具備されており、
管理側Ｗｅｂサーバには、
複数のユーザコード登録欄を有すると共に、それらのユーザコード登録欄のそれぞれ毎に、ユーザに関する様々な属性情報登録欄を設けてなるデータベースと、
ユーザ端末からのユーザコードを伴った解除キー取得要求を受け付ける手段と、
受け付けたユーザコードとデータベースの内容とを照合することにより、その解除キー取得要求が初回更新時の解除キー取得要求か、再度更新時の解除キー取得要求か、又は不正使用者による解除キー取得要求かを判定する手段と、
初回更新時又は再度更新時の解除キー取得要求と判定されたとき、ユーザに関する所定の属性情報がユーザから提示されたことを条件として、そのユーザのユーザコード及び属性情報をデータベース上において登録又は登録更新すると共に、そのユーザコードに対応する解除キーを発行してユーザ端末へと送信する手段と、
不正使用者による解除キー取得要求と判定されたとき、ユーザコードに対応する解除キーを発行することなく、ユーザ端末へと所定の警告メッセージを送信する手段と、が具備されている、コンピュータプログラムのユーザ管理システムにおいて、
コンピュータを、
複数のユーザコード登録欄を有すると共に、それらのユーザコード登録欄のそれぞれ毎に、ユーザに関する様々な属性情報登録欄を設けてなるデータベースと、
ユーザ端末からのユーザコードを伴った解除キー取得要求を受け付ける手段と、
受け付けたユーザコードとデータベースの内容とを照合することにより、その解除キー取得要求が初回更新時の解除キー取得要求か、再度更新時の解除キー取得要求か、又は不正使用者による解除キー取得要求かを判定する手段と、
初回更新時又は再度更新時の解除キー取得要求と判定されたとき、ユーザに関する所定の属性情報がユーザから提示されたことを条件として、そのユーザのユーザコード及び属性情報をデータベース上において登録又は登録更新すると共に、そのユーザコードに対応する解除キーを発行してユーザ端末へと送信する手段と、
不正使用者による解除キー取得要求と判定されたとき、ユーザコードに対応する解除キーを発行することなく、ユーザ端末へと所定の警告メッセージを送信する手段と、
を有するユーザ管理側Ｗｅｂサーバとして機能させるためのコンピュータプログラム。
【請求項３】
アプリケーションプログラムがインストールされるべきユーザ端末と、アプリケーションプログラムのユーザを管理するための管理側Ｗｅｂサーバとからなるユーザ管理システムに使用されるユーザ端末であって、
リムーバブルメディアから読み込まれたアプリケーションプログラムをインストールするための手段と、
ユーザによるアプリケーションプログラムの使用経過と関連して予め設定されたプログラム実行禁止又はプログラム実行制限のための所定条件が成立したことを判定する手段と、
所定条件が成立したことが判定されたとき、当該アプリケーションプログラムの実行を禁止又は制限する手段と、
所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示する手段と、
所定操作でユーザにより入力された解除キーを登録するための手段と、
解除キーが登録されるのに応答して、当該アプリケーションプログラムの実行禁止又は実行制限を解除する手段と、
を具備することを特徴とするユーザ端末。
【請求項４】
当該アプリケーションプログラムの実行禁止又は実行制限の所定条件が少なくとも設定された設定ファイルと、
設定ファイルに格納されている情報を読み取る手段と、
読み取った情報に基いて適宜な画面をユーザに提示する手段と、
を含むことを特徴する請求項３に記載のユーザ端末。
【請求項５】
アプリケーションプログラムがインストールされるべきユーザ端末と、アプリケーションプログラムのユーザを管理するための管理側Ｗｅｂサーバとからなるユーザ管理システムに使用される管理側Ｗｅｂサーバであって、
複数のユーザコード登録欄を有すると共に、それらのユーザコード登録欄のそれぞれ毎に、ユーザに関する様々な属性情報登録欄を設けてなるデータベースと、
ユーザ端末からのユーザコードを伴った解除キー取得要求を受け付ける手段と、
受け付けたユーザコードとデータベースの内容とを照合することにより、その解除キー取得要求が初回更新時の解除キー取得要求か、再度更新時の解除キー取得要求か、又は不正使用者による解除キー取得要求かを判定する手段と、
初回更新時又は再度更新時の解除キー取得要求と判定されたとき、ユーザに関する所定の属性情報がユーザから提示されたことを条件として、そのユーザのユーザコード及び属性情報をデータベース上に登録又は登録更新すると共に、そのユーザコードに対応する解除キーを発行してユーザ端末へと送信する手段と、
不正使用者による解除キー取得要求と判定されたとき、ユーザコードに対応する解除キーを発行することなく、ユーザ端末へと所定の警告メッセージを送信する手段と、
を具備することを特徴とする管理側Ｗｅｂサーバ。
【請求項６】
コンピュータによるソフトウェアの不正使用を防止するために、ユーザ端末にて実施される方法であって、
リムーバブルメディアから読み込まれたアプリケーションプログラムをインストールするためのステップと、
ユーザによるアプリケーションプログラムの使用経過と関連して予め設定されたプログラム実行禁止又はプログラム実行制限のための所定条件が成立したことを判定するステップと、
所定条件が成立したことが判定されたとき、当該アプリケーションプログラムの実行を禁止又は制限するステップと、
所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示するステップと、
所定操作でユーザにより入力された解除キーを登録するためのステップと、
解除キーが登録されるのに応答して、当該アプリケーションプログラムの実行禁止又は実行制限を解除するステップと、
を具備することを特徴とするソフトウェアの不正使用防止方法。
【請求項７】
コンピュータプログラムのユーザを管理するために、管理側Ｗｅｂサーバにて実行される方法であって、
複数のユーザコード登録欄を有すると共に、それらのユーザコード登録欄のそれぞれ毎に、ユーザに関する様々な属性情報登録欄を設けてなるデータベースを用意するステップと、
ユーザ端末からのユーザコードを伴った解除キー取得要求を受け付けるステップと、
受け付けたユーザコードとデータベースの内容とを照合することにより、その解除キー取得要求が初回更新時の解除キー取得要求か、再度更新時の解除キー取得要求か、又は不正使用者による解除キー取得要求かを判定するステップと、
初回更新時又は再度更新時の解除キー取得要求と判定されたとき、ユーザに関する所定の属性情報がユーザから提示されたことを条件として、そのユーザのユーザコード及び属性情報をデータベース上において登録又は登録更新すると共に、そのユーザコードに対応する解除キーを発行してユーザ端末へと送信するステップと、
不正使用者による解除キー取得要求と判定されたとき、ユーザコードに対応する解除キーを発行することなく、ユーザ端末へと所定の警告メッセージを送信するステップと、
を具備することを特徴とするユーザ登録方法。
【発明の詳細な説明】
【技術分野】
【０００１】
本発明は、ソフトウェアのユーザ登録を行う際に好適なユーザ管理システム構築のためのコンピュータプログラムに関する。
【背景技術】
【０００２】
従来、ソフトウェアのユーザ登録を行うためには、ソフトウェアパッケージに同梱されているユーザ登録はがきにユーザ情報を記入して、ソフトウェア会社へ郵送する必要がある。
【０００３】
さらに、はがき郵送によるユーザ登録以外にも、インターネットなどのネットワークを介して、オンラインによるユーザ登録が行われている。オンラインユーザ登録の際に、ソフトウェアのシリアルＮｏをユーザに割り振ることで、ユーザ登録完了後にソフトウェアの使用を認める方式が取り入れられている（例えば、特許文献１参照）。
【特許文献１】特開２００４−５４３２３公報
【発明の開示】
【発明が解決しようとする課題】
【０００４】
しかしながら、ユーザがユーザ登録を行うには、登録用はがきの郵送する、またはベンダ側サーバにアクセスして登録する、ことが必要である。そのため、ユーザ登録を行わずにソフトウェアを使用しているユーザが増えていた。
【０００５】
このことにより、ソフトウェア会社は実販売数や顧客層、顧客情報などの実態を把握し難くなり、営業ターゲットなどの販売戦略にずれが生じてしまうことが多く見られていた。
【０００６】
さらに、ソフトウェアメーカから割り振られたシリアルＮｏは、他のユーザ端末で使い回しができる。そのため、ソフトウェアの不正コピーや不正使用が多く見られていた。
【０００７】
この発明は、上述の問題点に着目してなされたものであり、その目的とするところは、オンラインを利用してユーザ登録を行うことでユーザの属性情報を収集し、しかもソフトウェアの不正コピーや不正使用を確実に防止可能なユーザ管理システム構築するためのコンピュータプログラムを提供することにある。
【０００８】
この発明のさらに他の目的並びに作用効果は、明細書の以下の記載に基づいて当業者であれば容易に理解されるであろう。
【課題を解決するための手段】
【０００９】
この発明によるユーザ管理システム構築のためのコンピュータプログラムは、アプリケーションプログラムがインストールされるべきユーザ端末と、アプリケーションプログラムのユーザを管理するための管理側Ｗｅｂサーバとからなるコンピュータプログラムのユーザ管理システムにおいて、コンピュータを、ユーザ端末として機能させるものである。
【００１０】
ユーザ端末は、リムーバブルメディアから読み込まれたアプリケーションプログラムをインストールするための手段と、ユーザによるアプリケーションプログラムの使用経過と関連して予め設定されたプログラム実行禁止又はプログラム実行制限のための所定条件が成立したことを判定する手段と、所定条件が成立したことが判定されたとき、当該アプリケーションプログラムの実行を禁止又は制限する手段と、所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示する手段と、所定操作でユーザにより入力された解除キーを登録するための手段と、解除キーが登録されるのに応答して、当該アプリケーションプログラムの実行禁止又は実行制限を解除する手段と、を含んでいる。ここで、「アプリケーションプログラムの使用経過」には、少なくとも使用回数や使用期間が含まれる。
【００１１】
管理側Ｗｅｂサーバは、複数のユーザコード登録欄を有すると共に、それらのユーザコード登録欄のそれぞれ毎に、ユーザに関する様々な属性情報登録欄を設けてなるデータベースと、ユーザ端末からのユーザコードを伴った解除キー取得要求を受け付ける手段と、受け付けたユーザコードとデータベースの内容とを照合することにより、その解除キー取得要求が初回更新時の解除キー取得要求か、再度更新時の解除キー取得要求か、又は不正使用者による解除キー取得要求かを判定する手段と、初回更新時又は再度更新時の解除キー取得要求と判定されたとき、ユーザに関する所定の属性情報がユーザから提示されたことを条件として、そのユーザのユーザコード及び属性情報をデータベース上に登録又は登録更新すると共に、そのユーザコードに対応する解除キーを発行してユーザ端末へと送信する手段と、不正使用者による解除キー取得要求と判定されたとき、ユーザコードに対応する解除キーを発行することなく、ユーザ端末へと所定の警告メッセージを送信する手段と、を含んでいる。
【００１２】
「解除キー」とは、ユーザ登録後、メーカ側Ｗｅｂサーバが発行するアプリケーション実行禁止解除又は実行制限解除のためのプロテクト解除コードである。
【００１３】
この発明によると、ユーザ端末でアプリケーションプログラムを使用する前に、ユーザ登録が必要になる。また、ユーザコードは当該アプリケーションプログラムの販売別ＩＤと、当該ユーザ端末の販売別ＩＤとに基づいて符号化生成されるので、ユーザの固有番号として管理することができ、アプリケーションプログラムの不正使用を防ぐことができる。
【００１４】
さらに、管理側Ｗｅｂサーバは、ユーザ端末から送信されたユーザコードとサーバ内の登録済みユーザコードとの比較が可能になり、初回更新、再度更新、又は不正使用者による初回更新かどうかの判定を行うことができる。また、管理側Ｗｅｂサーバは、更新時にユーザのユーザコード情報と属性情報とをサーバ内のデータベースに登録することができるので、容易にユーザ情報を管理することができる。
【００１５】
この発明によるユーザ端末は、アプリケーションプログラムがインストールされるべきユーザ端末と、アプリケーションプログラムのユーザを管理するための管理側Ｗｅｂサーバとからなるユーザ管理システムに使用され、リムーバブルメディアから読み込まれたアプリケーションプログラムをインストールするための手段と、ユーザによるアプリケーションプログラムの使用経過と関連して予め設定されたプログラム実行禁止又はプログラム実行制限のための所定条件が成立したことを判定する手段と、所定条件が成立したことが判定されたとき、当該アプリケーションプログラムの実行を禁止又は制限する手段と、所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示する手段と、所定操作でユーザにより入力された解除キーを登録するための手段と、解除キーが登録されるのに応答して、当該アプリケーションプログラムの実行禁止又は実行制限を解除する手段と、を含んでいる。
【００１６】
この発明によると、アプリケーションプログラムを使用する前に、ユーザ登録が行われる。また、ユーザ登録を行うには、管理側Ｗｅｂサーバから発行された解除キーを用いるため、アプリケーションプログラムの不正使用を防ぐことができる
【００１７】
この発明の好ましい一実施態様においては、ユーザ管理システムに使用されるユーザ端末は、当該アプリケーションプログラムの実行禁止又は実行制限の所定条件が少なくとも設定された設定ファイルと、設定ファイルに格納されている情報を読み取る手段と、読み取った情報に対して適宜な画面をユーザに提示する手段と、を含んでいる。これにより、設定ファイルでパラメータを指定することができるので、当該コンピュータプログラムは、アプリケーションプログラム毎に、カスタマイズが不要になる。
【００１８】
この発明による管理側Ｗｅｂサーバは、アプリケーションプログラムがインストールされるべきユーザ端末と、アプリケーションプログラムのユーザを管理するための管理側Ｗｅｂサーバとからなるユーザ管理システムに使用され、複数のユーザコード登録欄を有すると共に、それらのユーザコード登録欄のそれぞれ毎に、ユーザに関する様々な属性情報登録欄を設けてなるデータベースと、ユーザ端末からのユーザコードを伴った解除キー取得要求を受け付ける手段と、受け付けたユーザコードとデータベースの内容とを照合することにより、その解除キー取得要求が初回更新時の解除キー取得要求か、再度更新時の解除キー取得要求か、又は不正使用者による解除キー取得要求かを判定する手段と、初回更新時又は再度更新時の解除キー取得要求と判定されたとき、ユーザに関する所定の属性情報がユーザから提示されたことを条件として、そのユーザのユーザコード及び属性情報をデータベース上に登録又は登録更新すると共に、そのユーザコードに対応する解除キーを発行してユーザ端末へと送信する手段と、不正使用者による解除キー取得要求と判定されたとき、ユーザコードに対応する解除キーを発行することなく、ユーザ端末へと所定の警告メッセージを送信する手段と、を含んでいる。
【００１９】
この発明によると、管理側Ｗｅｂサーバは、ユーザ端末から送信されたユーザコードとサーバ内の登録済みユーザコードとの比較が可能になり、初回更新、再度更新、又は不正使用者による初回更新かどうかの判定を行うことができる。また、管理側Ｗｅｂサーバは、更新時にユーザのユーザコード情報と属性情報とをサーバ内のデータベースに登録することができるので、容易にユーザ情報を管理することができる。
【００２０】
この発明によるソフトウェアの不正使用防止は、コンピュータによるソフトウェアの不正使用を防止するために、ユーザ端末にて実施される方法であり、リムーバブルメディアから読み込まれたアプリケーションプログラムをインストールするためのステップと、ユーザによるアプリケーションプログラムの使用経過と関連して予め設定されたプログラム実行禁止又はプログラム実行制限のための所定条件が成立したことを判定するステップと、所定条件が成立したことが判定されたとき、当該アプリケーションプログラムの実行を禁止又は制限するステップと、所定条件が成立したことが判定されたとき、当該アプリケーションプログラムの販売別ＩＤと当該ユーザ端末の販売別ＩＤとに基づいて符号化生成されるユーザコードと、実行禁止解除又は実行制限解除のため解除キーを取得するためのＷｅｂサーバへのリンク情報とをユーザに提示するステップと、所定操作でユーザにより入力された解除キーを登録するためのステップと、解除キーが登録されるのに応答して、当該アプリケーションプログラムの実行禁止又は実行制限を解除するステップと、を含んでいる。
【００２１】
この発明によると、ソフトウェアを使用する際に、ユーザ登録が必須になり、登録には、正規登録によって発行された解除キーをユーザ端末に登録が必要になるため、ソフトウェアの不正使用を防ぐことができる。
【００２２】
この発明によるユーザ登録は、コンピュータプログラムのユーザを管理するために、管理側Ｗｅｂサーバにて実行される方法であり、複数のユーザコード登録欄を有すると共に、それらのユーザコード登録欄のそれぞれ毎に、ユーザに関する様々な属性情報登録欄を設けてなるデータベースを用意するステップと、ユーザ端末からのユーザコードを伴った解除キー取得要求を受け付けるステップと、受け付けたユーザコードとデータベースの内容とを照合することにより、その解除キー取得要求が初回更新時の解除キー取得要求か、再度更新時の解除キー取得要求か、又は不正使用者による解除キー取得要求かを判定するステップと、初回更新時又は再度更新時の解除キー取得要求と判定されたとき、ユーザに関する所定の属性情報がユーザから提示されたことを条件として、そのユーザのユーザコード及び属性情報をデータベース上において登録又は登録更新すると共に、そのユーザコードに対応する解除キーを発行してユーザ端末へと送信するステップと、不正使用者による解除キー取得要求と判定されたとき、ユーザコードに対応する解除キーを発行することなく、ユーザ端末へと所定の警告メッセージを送信するステップと、を含んでいる。
【００２３】
この発明によると、ソフトウェアを使用する際に、ユーザ登録が必須になり、Ｗｅｂサーバには確実にユーザ情報を蓄積することができる。
【００２４】
この発明の好ましい一実施態様においては、ユーザ端末内の上記設定ファイルは、当該アプリケーションプログラムの実行禁止又は実行制限の所定条件に対するユーザへの画面掲示情報と、初回プログラム実行禁止解除又は実行制限解除の期間情報と、を少なくとも含んでいるようにしてもよい。これにより、画面掲示情報と、初回プログラム実行禁止解除又は実行制限解除のパラメータを設けることで、アプリケーションプログラム毎に適したプログラム実行の制御と、画面掲示情報と、を表示させることができる。
【発明の効果】
【００２５】
本発明によれば、ソフトウェア使用前提としてユーザ登録を行うことにより、ユーザ登録が未登録の状態でのソフトウェア使用を防ぐことができる。また、メーカはソフトウェアを使用する顧客の最新属性情報の収集やソフトウェアの使用実態の把握を行うことができる。そのことから、新製品情報やユーザ事例紹介など必要な情報を提供することができ、効率的な営業活動やマーケティング活動の支援を行うことができる。しかも、アプリケーションプログラムの販売別ＩＤ（例えば、アプリケーションＣＤシリアルＮｏ）とユーザ端末の販売別ＩＤ（例えば、パソコン固有番号）とからなるユーザコードをＷｅｂサーバ内のデータベースで管理することにより、正規に認証された端末のみに実行禁止解除又は実行制限のための解除キーが発行されるため、ソフトウェアの不正使用を確実に防止可能なユーザ管理システムを提供することができる。
【発明を実施するための最良の形態】
【００２６】
以下に、本発明にプログラムにより構成されるユーザ管理システムの実施の一形態を添付図面を参照しつつ詳細に説明する。
【００２７】
本発明に係るユーザ管理システムのシステム構成図が図１に示されている。同図に示されるように、ユーザ管理システムは、ソフトウェアアプリケーションＣＤ１０と、ユーザ端末１１と、メーカＷｅｂサーバ１２と、顧客情報データベース１３と、インターネット１４とから構成されている。これらのシステム要素は、システムバスやＬＡＮケーブル（図示省略）で結ばれている。
【００２８】
同図に示されるように、アプリケーションを使用可能にするには、ソフトウェアアプリケーションＣＤ１０内のユーザ登録ツールのインストール［１］、初回アプリケーション起動時によるユーザ登録画面表示［２］、ユーザによるユーザコードとユーザ情報の登録［３］、メーカ側Ｗｅｂサーバ処理による顧客情報の蓄積［４］、メーカ側Ｗｅｂサーバからのプロテクト解除コードの発行［５］、発行されたプロテクト解除コードを登録［６］の一連の動作が必要となる。
【００２９】
ソフトウェアアプリケーションＣＤ１０には、所謂ワープロソフトあるいは表計算ソフトなどのアプリケーションプログラムと、本発明のユーザ管理プログラムと、上述のプログラムをインストールするためのインストールプログラムと、が記録されている。このインストールプログラムによって、ユーザ端末１１のＲＯＭ（ＨＤＤ等）に、アプリケーションプログラムとユーザ管理プログラムとが記録される。
【００３０】
ユーザ端末１１としては、例えば、所謂パーソナルコンピュータが使用される。アプリケーションがインストールされると、ユーザ管理プログラムとユーザが編集不可能な設定ファイルとは、所定のフォルダ内にインストールされる。また、ユーザ端末１１は、インターネット１４を介して、ソフトウェアメーカのＷｅｂサーバ１２に接続可能とされている。インターネット接続されているユーザ端末１１のユーザ登録は、後に詳述するように、オンラインで行われる。
【００３１】
ユーザ端末１１の内部構成を示すブロック図が図１３に示されている。同図に示されるように、ユーザ端末１１は、プロセッサ１３０１と、キーボード１３０２と、表示モニタ１３０３と、ＣＤ−ＲＯＭドライブ１３０４と、システムバス１３０５と、ＲＯＭ１３１１とから構成されている。
【００３２】
プロセッサ１３０１は、端末の動作を統括する中央処理装置である。プロセッサ１３０１によって、ＲＯＭ１３１１に格納されたユーザ管理プログラムが実行される結果として、ユーザコード生成部１３０７と、ユーザ情報設定部１３０８と、Ｗｅｂサーバ送信処理部１３０９と、プログラム解除コード管理処理部１３１０の各機能がソフトウェア的に実現される。
【００３３】
ＲＯＭ１３１１は、所謂記憶装置（ＨＤＤ等）である。ＲＯＭ１３１１のデータ領域には、パソコン固有番号１３１２と、ＣＤシリアル番号（アプリケーションシリアルＮｏ）１３１３と、ユーザ登録情報１３１４と、メーカＷｅｂサーバアクセス用ＵＲＬ１３１５と、ユーザコード１３１６と、プロテクト解除コード１３１７とが記憶される。
【００３４】
メーカＷｅｂサーバ１２は、ユーザ端末１１にインストールされたアプリケーションに対応する顧客情報を管理するものであり、ユーザ端末１１からユーザ登録要求を受け付けたときには、ユーザ端末１１へ顧客情報登録画面を送出する。また、メーカＷｅｂサーバ１２には、顧客情報データベース１３が設けられ、このデータベースには、ユーザ端末１１から送信した顧客情報が記録される。
【００３５】
顧客情報データベース１３は、ソフトウェアを使用するユーザの顧客情報が格納されるものであり、この例ではＣＳＶ形式のファイルによって構成されている。
【００３６】
メーカＷｅｂサーバ１２の内部構成を示すブロック図が図１４に示されている。同図に示されるように、メーカＷｅｂサーバは、プロセッサ１４０１と、キーボード１４０２と、表示モニタ１４０３と、ＲＯＭ１４０４と、システムバス１４０５とから構成されている。
【００３７】
プロセッサ１４０１は、サーバの動作を統括する中央処理装置である。プロセッサ１４０１によって、ＲＯＭ１４０４に格納されたユーザ管理プログラムが実行される結果として、ユーザコード管理部１４０７と、プロテクト解除コード発行部１４０８と、ユーザ情報管理処理部１４０９の各機能がソフトウェア的に実現される。
【００３８】
ＲＯＭ１４０４は、所謂記憶装置（ＨＤＤ等）である。ＲＯＭ１４０４のデータ領域には、前述の顧客情報データベース１３が記憶される。
【００３９】
次に、図２、図４〜図５、及び図９は、本発明の要部に関わる部分を示すフローチャートであり、以下、これらのフローチャート、図１、図３、図６〜図８、及び図１０〜図１４に示されている表示例を参照しつつ、本実施形態システムの動作を系統的に説明する。
【００４０】
本実施形態システムの動作を示すゼネラルフローチャートが図２に示されている。同図に示されるように、先ず、ユーザ端末１１では、アプリケーションＣＤ１０に記録されているアプリケーションプログラムと、ユーザ管理プログラムとが、端末内のＲＯＭ１３１２にインストールされる（ステップ２０１、図１の動作［１］）。
【００４１】
ユーザ端末のインストール処理（ステップ２０１、図１の動作［１］）のフローチャートが図４に示されている。同図に示されるように、ユーザ端末１１のＣＤ−ＲＯＭドライブ１３０４にソフトウェアインストールＣＤ１０が挿入されると、ユーザ端末１１のＯＳは、ソフトウェアインストールＣＤ１０に含まれているインストーラの読み込みを開始する。読み込まれたインストーラは端末のＲＡＭに一時記憶される（ステップ４０１）。一時記憶されたインストーラが実行されると、ソフトウェアインストールＣＤに含まれているアプリケーションプログラムとユーザ管理プログラムとが、ユーザ端末１１のＲＯＭ１３１１にインストールされる（ステップ４０２）。
【００４２】
各プログラムのインストール後、指定されたアプリケーションプログラムが実行されると、同時にユーザ管理プログラムが実行され、ユーザ登録処理が開始される（ステップ２０２）。なお、どのアプリケーションプログラムを起動するかは、ユーザ端末１１内に保存された設定ファイルで指定される。上述のユーザ登録処理が完了すると（後述するように、プロテクト解除キーをユーザ端末１１に登録することを含む）、ユーザは、ソフトウェアメーカからソフトウェアの使用が認められ（ステップ２０３）、ソフトウェアメーカが設定した使用期限が到来するまで、該当ソフトウェアを使用することができる（ステップ２０４ＮＯ）。ソフトウェアメーカが設定した使用期限が到来した場合には（ステップ２０４ＹＥＳ）、ソフトウェアの使用期限を延長させる必要がある。使用期限を延長する場合には（ステップ２０５有）、再度ユーザ登録を行い、更新する必要がある（ステップ２０２）。
【００４３】
ユーザ端末に格納される設定ファイルのイメージ図が図３に示されている。同図に示されるように、設定ファイル３０には、アプリケーションプログラムのシリアルＮｏ３０１と、アプリケーションプログラムファイル名３０２と、警告レベル設定３０３と、初回・インストール時表示用メッセージ３０４と、注意画面表示指定日３０５と、注意画面表示間隔３０６と、注意画面表示用メッセージ３０７と、警告画面表示間隔３０８と、警告画面表示用メッセージ３０９と、が含まれている。それぞれの項目の入力値は、ファイル内の指定された変数に代入される。これらの変数値は、ユーザ登録処理時に適宜参照される。また、初回・インストール時表示用メッセージ３０４と、注意画面表示用メッセージ３０７と、警告画面表示用メッセージ３０９としては、メッセージ文のみならず、ＵＲＬを入力することもできるため、各表示画面では、ユーザにアクセスさせたいＵＲＬを自由に表示させることができる。
【００４４】
次に、本発明のユーザ端末側におけるユーザ登録処理を示すフローチャートが図５に示されている。同図に示されるように、ユーザ端末１１でアプリケーションが起動されると、ユーザ端末内に保存された設定ファイルが読み込まれる（ステップ５０１）。当該アプリケーションの起動が初回の場合には（ステップ５０２ＹＥＳ）、初回登録画面が出力される（図１の動作［２］）。なお、初回登録画面には、「当ソフトウェアを使用前に、ユーザ登録をして下さい。」などのようなメッセージ文が表示される。メッセージ文に表示されているＵＲＬをブラウザで開くと、パソコン固有番号と、アプリケーションシリアルＮｏと、からユーザコード生成部１３０７にて生成されたユーザコードがメーカＷｅｂサーバ１２に送信される。なお、以上の処理は、図１３のプロセッサ１３０１内のユーザコードとユーザ登録情報とをＷｅｂサーバへの送信処理部１３０９の動作に相当する。
【００４５】
サーバ認証後、後で詳述する顧客情報登録画面が出力される。顧客情報登録画面が出力されると、登録操作検出が行われ（ステップ５０４）、登録操作が行われていない場合には（ステップ５０５無）、登録操作が行われるまで、ユーザ端末１１は待機状態になる。登録操作が行われた場合には（ステップ５０５有、図１の動作［３］）、ソフトウェア使用制限解除用キーのプロテクト解除コードを入力する。プロテクト解除コード以外のものが入力された場合には、エラー処理などのその他処理が行われる。正規のプロテクト解除コードが入力された場合には、設定ファイルにプロテクト解除コード情報がＲＯＭ１３１１に登録される（ステップ５０７）。プロテクト解除コード情報が登録されると、当該アプリケーションが使用可能となり、使用回数が更新される（ステップ５０８、図１の動作［６］）。なお、以上の処理は、図３のプロセッサ１３０１内のユーザ登録情報設定部１３０８及び、プロテクト解除コードによる管理処理部１３１０の動作に相当する。
【００４６】
当該アプリケーションの起動が初回でない場合には（ステップ５０２ＮＯ）、設定ファイルに保存されていた稼働来歴データと所定の警告条件との比較が行われる（ステップ５０９）。比較の結果、所定の警告条件が成立している場合には（ステップ５１０ＹＥＳ）、アプリケーションプログラムの使用が、制限又は禁止される（ステップ５１０）。アプリケーションプログラムの使用が、制限、又は禁止されると（ステップ５１０）、警告画面が表示される（ステップ５１２）。
【００４７】
所定の警告条件が成立していない場合には、（ステップ５１０ＮＯ）、上述の稼働来歴データと所定の注意条件との比較が行われる。比較の結果、所定の注意条件が成立している場合には（ステップ５１３）、注意画面が表示される（ステップ５１４）。所定の注意条件が成立していない場合には（ステップ５１３ＮＯ）、使用回数が更新される（ステップ５１５）。
【００４８】
注意画面の表示例を示す表示図が図６、警告画面の表示例を示す表示図が図７にそれぞれ示されている。注意画面図６と警告画面図７とは、アプリケーションの使用残日数又は残回数などの所定条件により、表示させることができる。また、各画面の表示切替の設定は、上述の設定ファイルで指定されている。図６に示されるように、注意画面６０には、ユーザコード表示欄６０１と、メッセージ表示欄６０２と、プロテクト解除コード入力欄６０３と、登録ボタン６０４と、閉じるボタン６０５とが、それぞれ設けられている。メッセージ表示欄６０２に表示されているＵＲＬへアクセスすると、ユーザコードがサーバに送信され認証が行われる。認証後、顧客情報登録画面が表示され、顧客登録が行われる。
【００４９】
同様に、図７に示されるように、警告画面７０には、ユーザコード表示欄７０１と、メッセージ表示欄７０２と、プロテクト解除コード入力欄７０３と、登録ボタン７０４と、閉じるボタン７０５とが、それぞれ設けられており、メッセージ表示欄７０２表示されているＵＲＬへアクセスすると、認証が行われる。
【００５０】
顧客情報登録画面の表示例を示す説明図が図８に示されている。同図に示されるように、顧客情報登録画面８０には、氏名欄８０１と、郵便番号入力欄８０２と、住所入力欄８０３と、部門名入力欄８０４と、役職名入力欄８０５と、電話番号入力欄８０６と、メールアドレス入力欄８０７と、ＦＡＸ番号入力欄８０８と、感想入力欄８０９と、ユーザコード入力欄８１０と、プロテクト解除コード取得ボタン８１１とが、それぞれ設けられている。各入力欄に顧客情報を入力後（図１の動作［３］）、プロテクト解除コード取得ボタン８１１を押圧すると、上述の登録操作が検出される（ステップ５０４、図１の動作［６］）。ユーザが登録した顧客属性情報はメールＷｅｂサーバ１２内の顧客情報データベース１３に格納される（図１の動作［４］）。顧客属性情報が登録されることにより、メーカはソフトウェアを使用する顧客の最新属性情報の収集やソフトウェアの使用実態の把握を行うことができる。
【００５１】
次に、本発明のメーカ側Ｗｅｂサーバ側の処理を示すフローチャートが図９に示されている。同図に示されるように、サーバ側ユーザ管理プログラムが起動されると、メーカＷｅｂサーバ１２は、ユーザ端末１１からのデータ待機状態となる。ユーザ端末１１からユーザコードが送信されると、Ｗｅｂサーバ１２では、ユーザコードの受信が行われる（ステップ９０１）。受信された暗号化ユーザコードは、デコードが行われる（ステップ９０２）。デコードされたユーザコードは、Ｗｅｂサーバ１２内の顧客登録データベース１３に格納されている登録済みＣＤシリアルＮｏと、インストールされたパソコン固有番号（ＰＣ固有Ｎｏ）と、で比較される（ステップ９０３）。なお、以上の処理は、図４のプロセッサ１４０１内のユーザコード管理部１４０７の動作に相当する。送信されたユーザコードのＣＤシリアルＮｏが一致、かつＰＣ固有Ｎｏが不一致の場合には（ステップ９０４ＹＥＳ）、送信されたユーザコードは、不正使用であると判定され、ユーザ登録処理が中止される（ステップ９０５）。送信されたユーザコードのＣＤシリアルＮｏが一致、かつＰＣ固有Ｎｏが不一致、ではない場合には（ステップ９０４ＮＯ）、送信されたユーザコードは、正規登録であると判定される。
【００５２】
正規登録のユーザコードが、顧客情報データベース１３に登録済みの場合には（ステップ９０６ＹＥＳ）、該当顧客データの更新回数と、最終更新日との値が更新される。顧客情報データベース内のＣＳＶファイルの更新回数には、現在の回数に１を加算したものが上書きされる。最終更新日には、ユーザ登録処理を行った日付が上書きされる（ステップ９０７）。更新回数と、最終更新日と、が更新されると（ステップ９０７）、登録されているその他顧客情報の更新が行われる（ステップ９０８、図１の動作［４］）。なお、以上の処理は、図４のプロセッサ１４０１内のユーザ情報管理処理部１４０９の動作に相当する。顧客情報が更新されると（ステップ９０８、図１の動作［４］）、ユーザコードと、ＣＳＶファイル内の該当延長期間とから、プロテクト解除コードが生成される（ステップ９０９）。なお、以上の処理は、図４のプロセッサ１４０１内のプロテクト解除コード発行部１４０８の動作に相当する。プロテクト解除コードが生成されると（ステップ９０９）、プロテクト解除コードがユーザ端末１１へ送信される（ステップ９１０、図１の動作［５］）。
【００５３】
正規登録のユーザコードが、顧客情報データベース１３に、登録されていない場合には（ステップ９０６ＮＯ）、顧客情報登録画面がユーザ端末１１へ送信される。ユーザ端末１１で入力された顧客情報は、顧客情報データベース１３内のＣＳＶファイルに追加登録される（ステップ９１１、図１の動作［４］）。なお、以上の処理は、図４のプロセッサ１４０１内のユーザ情報管理処理１４０９の動作に相当する。顧客情報が登録されると（ステップ９１１）、ユーザコードと、初回有効期限とから、プロテクト解除コードが生成される（ステップ９１２）。なお、以上の処理は、図４のプロセッサ１４０１内のプロテクト解除コード発行部１４０８の動作に相当する。プロテクト解除コードが生成されると（ステップ９１２）、プロテクト解除コードがユーザ端末１１へ送信される（ステップ９１０、図１の動作［５］）。
【００５４】
次に、顧客情報データベースに含まれているＣＳＶファイルレイアウトが図１０に示されている。同図に示されるように、ＣＳＶファイルイメージ１０００には、各顧客情報の項目が縦列に配置され、顧客が行毎に表示される。ユーザ登録が行われると、新規登録の顧客の場合には、既存顧客データの後の行に顧客情報が追加登録される。既存の顧客の場合には、該当する顧客の更新項目に変更後の値が上書きされる。最新の顧客属性情報が登録されることにより、メーカはソフトウェアを使用する顧客の最新属性情報の収集やソフトウェアの使用実態の把握を行うことができる。
【００５５】
ＣＳＶファイルの具体的なデータ格納例が図１１に示されている。同図に示されるように、各顧客情報列は、氏名１１０１と、郵便番号１１０２と、住所１１０３と、会社・団体名１１０４と、部門・役職名１１０５と、電話番号１１０６と、メールアドレス１１０７と、ＦＡＸ番号１１０８と、感想等１１０９と、ユーザコード１１１０と、延長期間１１１１と、更新回数１１１２と、最終更新日１１１３と、から構成されている。また、延長期間１１１１は各顧客毎にデータが保持されているため、個々の値に対して異なった値を入力することができる。
【００５６】
さらに、本発明に係るユーザ管理システムの第２のシステム構成図が図１２に示されている。同図に示されるように、ユーザ管理システムは、ソフトウェアアプリケーションＣＤ１０と、メーカＷｅｂサーバ１２と、顧客情報データベース１３と、ユーザ端末１５と、メーカ担当オペレータ端末１６と、により構成されている。
【００５７】
ソフトウェアアプリケーションＣＤ１０とメーカＷｅｂサーバ１２と、顧客情報データベース１３とは、第１の実施の形態と同様である。
【００５８】
ユーザ端末１５は、所謂パーソナルコンピュータであり、アプリケーションの動作は第１のユーザ端末１１と同様である。第２のユーザ端末１５は、インターネットに接続されていないため、Ｗｅｂサーバへ直接アクセスできない。そのため、ユーザ登録は、メーカ担当オペレータと電話やＦＡＸ等の通信手段を用いて行われる。よって、同図の実施形態で、アプリケーションを使用可能にするには、ソフトウェアアプリケーションＣＤ１０内のユーザ登録ツールのインストール［１］、初回アプリケーション起動時によるユーザ登録画面表示［２］、電話やＦＡＸ等の通信手段を用いて、メーカ担当オペレータにユーザコードとユーザ情報を連絡［３］、メーカオペレータによるユーザコードとユーザ情報の登録［４］、メーカ側Ｗｅｂサーバ処理による顧客情報の蓄積［５］、メーカ側Ｗｅｂサーバからのプロテクト解除コードの発行［６］、メーカ担当オペレータからプロテクト解除コードをユーザへ通知［７］、発行されたプロテクト解除コードを登録［８］の一連の動作が必要となる。
【００５９】
以上の実施形態のように、本ユーザ管理システムは、ソフトウェア使用前提としてユーザ登録を行うことにより、ユーザ登録が未登録の状態でのソフトウェア使用を防ぐことができる。また、メーカはソフトウェアを使用する顧客の最新属性情報の収集やソフトウェアの使用実態の把握を行うことができる。しかも、アプリケーションプログラムの販売別ＩＤとユーザ端末の販売別ＩＤとに基づいて符号化生成されるユーザコードをＷｅｂサーバ内のデータベースで管理することにより、正規に認証された端末のみに実行禁止解除又は実行制限のための解除キーが発行されるため、ソフトウェアの不正使用を確実に防ぐことができる。
【産業上の利用可能性】
【００６０】
本発明によれば、ソフトウェア使用前提としてユーザ登録を行うことにより、ユーザ登録が未登録の状態でのソフトウェア使用を防ぐことができる。また、メーカはソフトウェアを使用する顧客の最新属性情報の収集やソフトウェアの使用実態の把握を行うことができる。そのことから、新製品情報やユーザ事例紹介など必要な情報を提供することができ、効率的な営業活動やマーケティング活動の支援を行うことができる。しかも、アプリケーションプログラムの販売別ＩＤ（例えば、アプリケーションＣＤシリアルＮｏ）とユーザ端末の販売別ＩＤ（例えば、パソコン固有番号）とからなるユーザコードをＷｅｂサーバ内のデータベースで管理することにより、正規に認証された端末のみに実行禁止解除又は実行制限のための解除キーが発行されるため、ソフトウェアの不正使用を確実に防止可能なユーザ管理システムを提供することができる。
【図面の簡単な説明】
【００６１】
【図１】本実施形態システムのシステム構成図（インターネット接続の場合）である。
【図２】本実施形態システムのユーザ登録の動作を示すゼネラルフローチャートである。
【図３】本実施形態のユーザ端末に格納される設定ファイルイメージ例を示す説明図である。
【図４】ユーザ端末のソフトウェアインストール処理を示すフローチャートである。
【図５】本実施形態のユーザ端末処理の詳細を示すフローチャートである。
【図６】ソフトウェア使用期限の注意画面の表示例を示す説明図である。
【図７】ソフトウェア使用期限の警告画面の表示例を示す説明図である。
【図８】顧客情報登録画面の表示例を示す説明図である。
【図９】本実施形態のメーカ側Ｗｅｂサーバ処理の詳細を示すフローチャートである。
【図１０】顧客情報データベース内のＣＳＶファイルレイアウト例を示す説明図である。
【図１１】図９の構成例における顧客情報の一例を示す説明図である。
【図１２】第２の実施形態のシステム構成図（インターネット非接続の場合）である。
【図１３】ユーザ端末の内部構成を概略的に示すブロック図である。
【図１４】メーカ側Ｗｅｂサーバの内部構成を概略的に示すブロック図である。
【符号の説明】
【００６２】
１０  アプリケーションＣＤ
１１  ユーザ端末（インターネット接続）
１２  メーカＷｅｂサーバ
１３  顧客情報データベース
１４  インターネット
１５  ユーザ端末（インターネット非接続）
１６  メーカ担当オペレータ端末
３０  設定ファイル
３０１  アプリケーションシリアルＮｏ
３０２  アプリケーションプログラムファイル名
３０３  警告レベル設定
３０４  初回・インストール時表示用メッセージ
３０５  注意画面表示指定日
３０６  注意画面表示間隔
３０７  注意画面表示用メッセージ
３０８  警告画面表示間隔
３０９  警告画面表示用メッセージ
６０  注意画面
６０１  ユーザコード表示欄
６０２  メッセージ表示欄
６０３  プロテクト解除コード入力欄
６０４  登録ボタン
６０５  閉じるボタン
７０  警告画面
７０１  ユーザコード表示欄
７０２  メッセージ表示欄
７０３  プロテクト解除コード入力欄
７０４  登録ボタン
７０５  閉じるボタン
８０  顧客情報登録画面
８０１  氏名欄
８０２  郵便番号入力欄
８０３  住所入力欄
８０４  部門名入力欄
８０５  役職名入力欄
８０６  電話番号入力欄
８０７  メールアドレス入力欄
８０８  ＦＡＸ番号入力欄
８０９  感想入力欄
８１０  ユーザコード入力欄
８１１  プロテクト解除コード取得ボタン
１０００  ＣＳＶファイルイメージ
１１０１  氏名
１１０２  郵便番号
１１０３  住所
１１０４  会社・団体名
１１０５  部門・役職名
１１０６  電話番号
１１０７  メールアドレス
１１０８  ＦＡＸ番号
１１０９  感想等
１１１０  ユーザコード
１１１１  延長期間
１１１２  更新回数
１１１３  最終更新日
１３０１  プロセッサ
１３０２  キーボード
１３０３  表示モニタ
１３０４  ＣＤ−ＲＯＭドライブ
１３０５  システムバス
１３０６  インタフェース
１３０７  ユーザコード生成部
１３０８  ユーザ情報設定部
１３０９  Ｗｅｂサーバ送信処理部
１３１０  プログラム解除コード管理処理部
１３１１  ＲＯＭ
１３１２  パソコン固有番号
１３１３  ＣＤシリアル番号（アプリケーションシリアルＮｏ）
１３１４  ユーザ登録情報
１３１５  メーカＷｅｂサーバアクセス用ＵＲＬ
１３１６  ユーザコード
１３１７  プロテクト解除コード
１４０１  プロセッサ
１４０２  キーボード
１４０３  表示モニタ
１４０４  ＲＯＭ
１４０５  システムバス
１４０６  インタフェース
１４０７  ユーザコード管理部
１４０８  プロテクト解除コード発行部
１４０９  ユーザ情報管理処理部
【図１】
2006252315.tif 000003
【図２】
2006252315.tif 000004
【図３】
2006252315.tif 000005
【図４】
2006252315.tif 000006
【図５】
2006252315.tif 000007
【図６】
2006252315.tif 000008
【図７】
2006252315.tif 000009
【図８】
2006252315.tif 000010
【図９】
2006252315.tif 000011
【図１０】
2006252315.tif 000012
【図１１】
2006252315.tif 000013
【図１２】
2006252315.tif 000014
【図１３】
2006252315.tif 000015
【図１４】
2006252315.tif 000016